(57)【要約】  音量制御装置は、移動体の前席と後席との間に配置される出力部に接続される。音量制御装置は、出力部から出力される音声の、前席及び後席における周波数特性に共通するピークの周波数を推定し、出力部から出力される音声のピークの周波数におけるレベルを補正する。これにより、前席と後席の２つの聴取位置における周波数特性に共通して現れるピークを補正するように音声信号が制御される。
2017104054.tif 000002
【特許請求の範囲】
【請求項１】
移動体の前席と後席との間に配置される出力部に接続される音量制御装置であって、
前記出力部から出力される音声の、前記前席及び前記後席における周波数特性に共通するピークの周波数を推定する推定部と、
前記出力部から出力される音声の前記ピークの周波数におけるレベルを補正する補正部と、
を備えることを特徴とする音量制御装置。
【請求項２】
前記ピークは、前記出力部から出力され、前記移動体内で反射されずに聴取位置に届いた音声である直達音と、前記出力部から出力され、前記移動体内の所定位置で反射されてから前記聴取位置に届いた音声である反射音とのそれぞれの重ね合わせによって発生するピークであることを特徴とする請求項１に記載の音量制御装置。
【請求項３】
前記推定部は、前記移動体の車両情報に基づいて前記ピークの周波数を推定することを特徴とする請求項１又は２に記載の音量制御装置。
【請求項４】
前記移動体の車両情報を入力する入力部を備え、
前記推定部は、前記入力された車両情報に基づいて前記ピークの周波数を推定することを特徴とする請求項３に記載の音量制御装置。
【請求項５】
前記推定部は、前記移動体の車幅に基づく計算式により前記ピークの周波数を推定することを特徴とする請求項１乃至４のいずれか一項に記載の音量制御装置。
【請求項６】
前記出力部は、前記前席寄りまたは前記後席寄りの位置に配置されることを特徴とする請求項１乃至５のいずれか一項に記載の音量制御装置。
【請求項７】
前記前席または前記後席は遮蔽物を有し、当該遮蔽物により、前記出力部から出力されて前記前席または後席のうち前記遮蔽物が存在する方の席の聴取位置に至る音声に部分的な遮蔽が生じていることを特徴とする請求項１乃至６のいずれか一項に記載の音量制御装置。
【請求項８】
移動体の前席と後席との間に配置される出力部に接続される音量制御装置により実行される音量制御方法であって、
前記出力部から出力される音声の、前記前席及び前記後席における周波数特性に共通するピークの周波数を推定する推定工程と、
前記出力部から出力される音声の前記ピークの周波数におけるレベルを補正する補正工程と、
を有することを特徴とする音量制御方法。
【請求項９】
コンピュータを備え、移動体の前席と後席との間に配置される出力部に接続される音量制御装置により実行されるプログラムであって、
前記出力部から出力される音声の、前記前席及び前記後席における周波数特性に共通するピークの周波数を推定する推定部、
前記出力部から出力される音声の前記ピークの周波数におけるレベルを補正する補正部、
として前記コンピュータを機能させることを特徴とするプログラム。
【請求項１０】
請求項９に記載のプログラムを記憶した記憶媒体。
【発明の詳細な説明】
【技術分野】
【０００１】
本発明は、車室空間において聴取者が聴く音を調整する技術に関する。
【背景技術】
【０００２】
車室などの音響空間において、再生音の音圧レベルを調整する手法が提案されている。例えば、特許文献１は、複数のスピーカから放射された音声を複数のマイクロフォンで集音して音響空間における音圧分布を測定し、フィルタ係数を決定する手法を記載している。この文献では、位相補正の手法として車室内構造は考慮せず、周波数特性を基にピーク・ディップを抽出するためのシミュレーションや計算で、イコライザをかけるべき周波数帯域を見つけている。
【先行技術文献】
【特許文献】
【０００３】
【特許文献１】特開２００９−１５９３８５号公報
【発明の概要】
【発明が解決しようとする課題】
【０００４】
車室内において音声信号を再生する場合、車室のドア、ウィンドウ、シートなどからの反射に起因して、各座席で聴取される音声信号の周波数特性にはピーク及びディップが生じる。通常、車室内には前席と後席があるので、両方の席における周波数特性のピークやディップなどを補正することが望ましい。【０００５】
例えば、リアスピーカの特定の帯域の音が後席の人にとって大きすぎると仮定する。この場合、その帯域の音を小さくすると、後席の人にはちょうど良くなるが、前席の人にとってはその帯域の音が聞こえにくくなってしまう。このような場合、特許文献１では毎回大規模な計算を行う必要がある。【０００６】
本発明が解決しようとする課題としては、上記のものが例として挙げられる。本発明は、複雑な計算を必要とせず、車内の前後２席における周波数特性のピークを同時に補正することが可能な音量制御装置を提供することを目的とする。
【課題を解決するための手段】
【０００７】
請求項１に記載の発明は、移動体の前席と後席との間に配置される出力部に接続される音量制御装置であって、前記出力部から出力される音声の、前記前席及び前記後席における周波数特性に共通するピークの周波数を推定する推定部と、前記出力部から出力される音声の前記ピークの周波数におけるレベルを補正する補正部と、を備えることを特徴とする。【０００８】
請求項８に記載の発明は、移動体の前席と後席との間に配置される出力部に接続される音量制御装置により実行される音量制御方法であって、前記出力部から出力される音声の、前記前席及び前記後席における周波数特性に共通するピークの周波数を推定する推定工程と、前記出力部から出力される音声の前記ピークの周波数におけるレベルを補正する補正工程と、を有することを特徴とする。【０００９】
請求項９に記載の発明は、コンピュータを備え、移動体の前席と後席との間に配置される出力部に接続される音量制御装置により実行されるプログラムであって、前記出力部から出力される音声の、前記前席及び前記後席における周波数特性に共通するピークの周波数を推定する推定部、前記出力部から出力される音声の前記ピークの周波数におけるレベルを補正する補正部、として前記コンピュータを機能させることを特徴とする。
【図面の簡単な説明】
【００１０】
【図１】一般的なセダン車の車内構造の例を示す平面図である。
【図２】実施例による音量制御装置の概略構成を示す。
【図３】前後２席で音圧が高くなる帯域が存在する理由を説明する図である。
【図４】車両の構造に基づいて制御帯域を決定する方法を説明する図である。
【図５】前後２席で音圧が高くなる帯域の例を示すグラフである。
【図６】従来技術の手法と実施例の手法の効果を示すグラフである。
【図７】左右のスピーカから音声を再生する音量制御装置の構成を示す。
【図８】左右のスピーカにステレオ信号を入力した場合の周波数特性を示す。
【図９】左右のスピーカにモノラル信号を入力した場合の周波数特性を示す。
【図１０】実施例の音量制御装置による減衰制御のフローチャートである。
【図１１】変形例における車内環境の例を示す。
【発明を実施するための形態】
【００１１】
本発明の好適な実施形態では、移動体の前席と後席との間に配置される出力部に接続される音量制御装置は、前記出力部から出力される音声の、前記前席及び前記後席における周波数特性に共通するピークの周波数を推定する推定部と、前記出力部から出力される音声の前記ピークの周波数におけるレベルを補正する補正部と、を備える。
【００１２】
上記の音量制御装置は、移動体の前席と後席との間に配置される出力部に接続される。音量制御装置は、出力部から出力される音声の、前席及び後席における周波数特性に共通するピークの周波数を推定し、出力部から出力される音声のピークの周波数におけるレベルを補正する。これにより、前席と後席の２つの聴取位置における周波数特性に共通して現れるピークを補正するように音声信号が制御される。
【００１３】
上記の音量制御装置の一態様では、前記ピークは、前記出力部から出力され、前記移動体内で反射されずに聴取位置に届いた音声である直達音と、前記出力部から出力され、前記移動体内の所定位置で反射されてから前記聴取位置に届いた音声である反射音とのそれぞれの重ね合わせによって発生する。この態様では、直達音と反射音の重ね合わせにより生じるピークに対して補正が行われる。
【００１４】
上記の音量制御装置の他の一態様では、前記推定部は、前記移動体の車両情報に基づいて前記ピークの周波数を推定する。この態様では、移動体の車両情報に基づいてピークの周波数が決定される。
【００１５】
上記の音量制御装置の他の一態様は、前記移動体の車両情報を入力する入力部を備え、前記推定部は、前記入力された車両情報に基づいて前記ピークの周波数を推定する。この態様では、ユーザにより入力された車両情報に基づいてピークの周波数が推定される。好適な例では、前記推定部は、前記移動体の車幅に基づく計算式により前記ピークの周波数を推定する。
【００１６】
上記の音量制御装置の他の一態様では、前記出力部は、前記前席寄りまたは前記後席寄りの位置に配置される。出力部が前席寄りまたは後席寄りに配置されていることにより、前席と後席における周波数特性に共通するピークが生じる。
【００１７】
上記の音量制御装置の他の一態様では、前記前席または前記後席は遮蔽物を有し、当該遮蔽物により、前記出力部から出力されて前記前席または後席のうち前記遮蔽物が存在する方の席の聴取位置に至る音声に部分的な遮蔽が生じている。前席または後席の遮蔽物による遮蔽に起因して、前席と後席における周波数特性に共通するピークが生じる。
【００１８】
本発明の他の好適な実施形態では、移動体の前席と後席との間に配置される出力部に接続される音量制御装置により実行される音量制御方法は、前記出力部から出力される音声の、前記前席及び前記後席における周波数特性に共通するピークの周波数を推定する推定工程と、前記出力部から出力される音声の前記ピークの周波数におけるレベルを補正する補正工程と、を有する。この方法によっても、前席と後席の２つの聴取位置における周波数特性に共通して現れるピークを補正するように音声信号が制御される。
【００１９】
本発明の他の好適な実施形態では、コンピュータを備え、移動体の前席と後席との間に配置される出力部に接続される音量制御装置により実行されるプログラムは、前記出力部から出力される音声の、前記前席及び前記後席における周波数特性に共通するピークの周波数を推定する推定部、前記出力部から出力される音声の前記ピークの周波数におけるレベルを補正する補正部、として前記コンピュータを機能させる。このプログラムをコンピュータで実行することにより、前席と後席の２つの聴取位置における周波数特性に共通して現れるピークを補正するように音声信号が制御される。このプログラムは、記憶媒体に記憶されて取り扱うことができる。
【実施例】
【００２０】
［基本原理］
まず、実施例による音量制御の基本原理について説明する。車室内の音響特性は車両の車内構造に依存するが、一般的な車両は類似した車内構造とスピーカ位置を有する。通常のセダン車などでは、前席に運転席と助手席が左右対称に配置され、後席に２つの席が左右対称に配置される。また、左右のドアにそれぞれフロントスピーカ及びリアスピーカが設置される。このように、一般的な車両では車内構造及びスピーカ位置が類似しているため、左右のリアスピーカから前席及び後席への音の届き方は基本的にどの車両でも類似する。【００２１】
図１は一般的なセダン車の車内構造の例を示す。車両１が右ハンドル車であるとすると、前席（運転席）２ｆには運転手５が座り、後席２ｒには同乗者６が座る。後席の左側のドアには左リアスピーカＲＬが設けられている。なお、後席の右側のドアには右リアスピーカＲＲが設けられるが、図１では図示を省略する。【００２２】
このような車内構造及びスピーカ位置においては、車両の前後２席、即ち、前席２ｆと後席２ｒを聴取位置とし、１つのリアスピーカから再生された音声をこれら２席で聴取した場合、２席で聴取される音声の周波数特性に共にピークが現れる周波数帯域（以下、単に「帯域」とも呼ぶ。）が存在する。これは、ドアに設けられたリアスピーカから聴取位置に直接到達する音声（以下、「直達音」と呼ぶ。）と、そのリアスピーカから再生され、反対側のドアで反射されて聴取位置に到達する音声(以下、「反射音」と呼ぶ。）とが２席の聴取位置で重ね合わされる（足し合わされる）からである。【００２３】
なお、「聴取位置」は、前席又は後席に座った搭乗者の頭の位置とし、「聴取位置における音圧」とは、搭乗者の頭の中心位置における音圧、又は、搭乗者の左右の耳の位置における音圧の合計とする。また、以下の説明において、「２席」と言った場合は前後２席、具体的には車室の右側の前席と後席、又は、左側の前席と後席の組み合わせを指すものとする。【００２４】
以上より、本実施例に係る音量制御装置では、車両の２席で聴取した音声信号の周波数特性が共にピークを有する帯域（以下、「共通ピーク帯域」とも呼ぶ。）を制御帯域とし、その制御帯域において、リアスピーカから再生される音声信号の減衰制御を行うことにより、２席における周波数特性を同時に補正する。【００２５】
［実施例］
（基本構成）
図２は、実施例による音量制御装置１０の概略構成を示す。本実施例では、車両の２席に対して少なくとも１つのスピーカから音声を出力する際に、スピーカに供給される音声信号の特定の制御帯域で減衰制御を行う。この減衰制御は、イコライザ処理、ゲイン調整処理、減衰処理などである。【００２６】
具体的には、図２の例に示すように、音源１１から出力される音声信号はイコライザ１２に供給される。イコライザ１２は、制御帯域において音声信号のレベルを減衰させる制御を行い、減衰後の音声信号を車両１に設けられたリアスピーカＲＬに供給する。リアスピーカＲＬは、供給された音声信号を再生して音声を出力する。【００２７】
イコライザ１２には制御部１５が接続されており、制御部１５には入力部１６が接続されている。入力部１６は、後述するようにユーザが車種名などの車両情報を入力する際に使用される。制御部１３は、入力部１６に入力された車両情報に基づいて、制御帯域を示す信号をイコライザ１２に供給する。具体的には、制御部１５内には、車種名などの車両情報とその車種の車幅とを対応付けた車両情報データベース（ＤＢ）が記憶されている。ユーザが入力部１６に車種名を入力すると、制御部１５は車両情報ＤＢを参照して、その車種の車幅（ｗ）を取得し、その車幅を用いて後述するように制御帯域を決定する。【００２８】
これにより、本実施例の音量制御装置では、複雑な計算を行う必要なく、２席で聴取される音声の周波数特性に共に現れるピークを補正することが可能となる。なお、上記の例は車両の左側リアスピーカＲＬのみから音声を出力するものであるが、右側リアスピーカＲＲのみから音声を出力する場合にも同様に本発明を適用することができる。【００２９】
（制御帯域の決定）
まず、車両の２席で聴取した音声信号の音圧が同時に高くなる共通ピーク帯域が存在する理由について説明する。図３（Ａ）、３（Ｂ）は、２席に搭乗者が乗車している場合の車内の状況を模式的に示す。図３（Ａ）に示すように、本来、リアスピーカＲＬから出力された音声は後席だけに伝わりやすい（以下、「現象１」と呼ぶ。）。これは、前席、特に前席の背もたれが前席の空間と後席の空間とを遮蔽する構造となっており、リアスピーカＲＬから出力された音声は背もたれにより部分的に遮られ、前席へは伝わりにくいためである。【００３０】
一方で、図３（Ｂ）に示すように、リアスピーカＲＬの正面方向、即ちリアスピーカＲＬから出力された音声が進む方向には、後席よりも前席の方が近い（図３（Ｂ）の円７を参照）。よって、リアスピーカＲＬから出力された直接音と反射音は、後席よりも前席においてより重なりやすい、即ち干渉しやすい（以下、「現象２」と呼ぶ。）。以上の現象１及び現象２に起因して、前後２席において音声信号の音圧が同時に高くなる共通ピーク帯域が生じる。【００３１】
なお、上記の現象２の程度はリアスピーカＲＬの前後方向の位置に依存するが、一般的な車両では、図３（Ｂ）に示すように、リアスピーカは前席寄りの位置、具体的には、前席と後席の中間位置よりも前席寄りに配置されていることが多いため、上記の現象２が生じる。【００３２】
次に、上記の共通ピーク帯域の周波数(以下、「共通ピーク周波数」とも呼ぶ。）の決定方法について説明する。図４は、車内構造の例を示す。リアスピーカＲＬから出力された音声は、経路Ｓに示すように、直達音として前席２ｆ及び後席２ｒに到達するとともに、右側のドアにより反射され、反射音として前席２ｆ及び後席２ｒに到達する。このように聴取位置としての前席２ｆ及び後席２ｒには直達音と反射音とが到達するため、直達音と反射音とが同相になる帯域においては、直達音と反射音とが足し合わされて周波数特性にピークが生じる。このピークが生じる周波数が共通ピーク周波数となる。【００３３】
共通ピーク周波数は、車両のサイズに基づいて決定することができる。図４に示すように、車内の車幅を「ｗ」とすると、共通ピーク周波数Ｆｐｅａｋは、
Ｆｐｅａｋ［Ｈｚ］  ＝  Ｃ［ｍ／ｓ］／Ｄ［ｍ］    （１）
で得られる。なお、「Ｃ」は音速（３４０ｍｓ）であり、Ｄ（＝２ｗ）は、リアスピーカＲＬから出力された音声が反対側のドアで反射してリアスピーカの位置に戻ってくるまでの距離、即ち、図４に示す経路Ｓの距離である。【００３４】
いま、一般的な車両の幅として、ｗ＝１．４ｍとすると、式（１）より、共通ピーク周波数Ｆｐｅａｋは約１２１Ｈｚとなる。この場合の前席（運転席）と後席における周波数特性を図５（Ａ）に示す。楕円７０で示すように、１２５Ｈｚ付近の帯域において前席と後席に共通するピークが生じている。【００３５】
（減衰制御）
こうして、制御帯域としての共通ピーク周波数が決定されると、制御部１５は、イコライザ１２を制御して、共通ピーク周波数の帯域の信号レベルを減衰させる。具体的には、制御部１５は、図５（Ｂ）に例示するように、共通ピーク周波数付近の信号レベルを減衰させる特性をイコライザ１２に設定する。これにより、車内構造に起因して前後２席に同時に発生するピークを補正することができる。【００３６】
図６は、上記の減衰制御を行った実施例と従来例とを比較するグラフを示す。グラフＧ１は実施例による前席の周波数特性を示し、グラフＧ２は実施例による後席の周波数特性を示す。また、グラフＧ３は従来例による前席の周波数特性を示し、グラフＧ４は従来例による後席の周波数特性を示す。なお、従来例のグラフＧ３、Ｇ４は、後席における周波数特性に生じるピーク周波数（約３００Ｈｚ）の帯域をイコライザにより減衰させた場合のグラフとなっている。各グラフにおいて、実線はイコライザによる減衰処理をオフにしたときの特性であり、破線はイコライザ１２による減衰処理をオンにしたときの特性である。いずれのグラフにおいても、聴取位置は搭乗者の頭部の左耳の位置としている。【００３７】
従来例においては、グラフＧ４の楕円７４内の実線に示すように、３００Ｈｚ付近の帯域で後席の周波数特性にピークが生じる。このため、３００Ｈｚ付近の帯域を減衰させるイコライザをオンにすると、楕円７４内の破線に示すように、後席の周波数特性は３００Ｈ付近の帯域でフラットになる。しかしながら、グラフＧ３の楕円７３内の実線に示すように、前席では元々３００Ｈｚ付近にピークは存在しないため、３００Ｈｚ付近の帯域を減衰させるイコライザをオンにすると、楕円７３内の破線に示すように前席では３００Ｈｚ付近にディップが生じてしまい、周波数特性が悪化してしまう。【００３８】
これに対し、実施例においては、グラフＧ１の楕円７１内の実線及びグラフＧ２の楕円７２内の実線に示すように、共通ピーク周波数に対応する１２５Ｈｚ付近において前席と後席の両方にピークが生じる。よって、１２５Ｈｚ付近の帯域を減衰させるイコライザをオンにすると、グラフＧ１の楕円７１内の破線及びグラフＧ２の楕円７２内の破線に示すように、前後２席のいずれにおいてもピークが緩和され、周波数特性が改善される。このように、本実施例では、前後２席の両方に同時にピークを生じさせる共通ピーク周波数の帯域を減衰させることにより、前後２席の両方における周波数特性を同時に改善することができる。【００３９】
［他の実施例］
上記の実施例は車両のリアスピーカの一方のみから音声を出力するものであったが、左右のリアスピーカから音声を出力する場合にも本発明を適用することができる。図７は、左右のリアスピーカＲＬ、ＲＲに信号を入力する構成を示す。具体的に、音源１１から出力される音声信号はイコライザ１２に入力され、イコライザ１２は制御帯域のレベルを減衰させた音声信号を左右のリアスピーカＲＬ、ＲＲに供給する。【００４０】
一般的な車室内の構造では、左右対称な位置に左右のリアスピーカＲＬ、ＲＲが設置されている。よって、右側のリアスピーカＲＲから出力された音声も、直達音として前席２ｆ及び後席２ｒに到達するとともに、左側のドアで反射した反射音として前席２ｆ及び後席２ｒに到達する。このため、左右のスピーカＲＬ、ＲＲから音声を出力した場合でも、１つのイコライザ１２により制御帯域の音量レベルを減衰させることにより、前席２ｆと後席２ｒの周波数特性における共通ピークを同時に抑制することができる。以下、ステレオ信号とモノラル信号の場合についてそれぞれ説明する。【００４１】
（ステレオ信号の場合）
ステレオ信号の場合、左右のリアスピーカＲＬ、ＲＲには無相関の信号が入力されるが、前後２席のいずれにおいても、左右のリアスピーカＲＬ、ＲＲからの直達音と、反対側のドアで反射した反射音とがピーク周波数を形成するので、左右のリアスピーカＲＬ、ＲＲから出力される音声についてのピーク周波数は同一となる。よって、１つのイコライザによりピーク周波数の帯域において減衰制御を行えば、２つのリアスピーカＲＬ、ＲＲから出力される音声のピークを同時に抑制することができる。【００４２】
図７の構成において、左右のリアスピーカＲＬ、ＲＲにステレオ信号を入力した場合の周波数特性を図８に示す。図８（Ａ）は、前席（運転席）２ｆ及び後席２ｒの周波数特性を示す。楕円７５で示すように、１２５Ｈｚ付近に共通ピークが現れている。そこで、共通ピーク周波数１２５Ｈｚを制御帯域の中心周波数とし、図８（Ｂ）に示す減衰特性をイコライザ１２に設定する。これにより、前席２ｆ及び後席２ｒでは図８（Ｃ）に示す周波数特性が得られる。図８（Ｃ）の楕円７６に示すように、１２５Ｈｚ付近の共通ピークが抑制されている。【００４３】
（モノラル信号の場合）
モノラル信号の場合、左右のスピーカＦＬ、ＦＲには同一の信号が入力される。よって、左右のリアスピーカＲＬ、ＲＲにモノラル信号を入力した場合でも、一方のスピーカのみに信号を入力した場合と同様に、１つのイコライザによりピーク周波数の帯域において減衰制御を行えば、２つのリアスピーカＲＬ、ＲＲから出力される音声のピークを同時に抑制することができる。【００４４】
図７の構成において、左右のフロントスピーカＦＬ、ＦＲにモノラル信号、即ち同一の信号を入力した場合の周波数特性を図９に示す。図９（Ａ）は、前席（運転席）２ｆ及び後席２ｒの周波数特性を示す。楕円７７で示すように、１２５Ｈｚ付近に共通ピークが現れている。そこで、ピーク周波数１２５Ｈｚを制御帯域の中心周波数とし、図９（Ｂ）に示す減衰特性をイコライザ１２に設定する。これにより、前席２ｆ及び後席２ｒでは図９（Ｃ）に示す周波数特性が得られる。図９（Ｃ）の楕円７８に示すように、１２５Ｈｚ付近の共通ピークが抑制されている。【００４５】
なお、上記のように、左右のリアスピーカＲＬ、ＲＲから出力される音声信号に同じ減衰処理を施すことにより、車内の左側の前後２席、即ち、助手席とその後席とに生じる共通ピークを抑制することもできる。その結果、車内の４席について同時に共通ピークを抑制する効果を得ることができる。【００４６】
［減衰制御］
図１０は、実施例の音量制御装置１０により実行される減衰制御のフローチャートである。この処理は、主として音量制御装置１０の制御部１５により実行される。具体的には、制御部１５を構成するコンピュータが予め用意されたプログラムを実行することにより実施される。【００４７】
まず、ユーザが入力部１６に車種名などの車両情報を入力すると、制御部１５は入力された車両情報を取得し（ステップＳ１１）、車両情報ＤＢからその車種の車幅を取得する（ステップＳ１２）。次に、制御部１５は、前述の式（１）に基づいて共通ピーク周波数Ｆｐｅａｋを決定し（ステップＳ１３）、共通ピーク帯域の信号を減衰させる特性をイコライザ１２に設定する（ステップＳ１４）。そして、制御部１５は、音源１１を制御して音声信号を出力させる。こうして、リアスピーカから出力される音声は、共通ピークが抑制されたものとなる。【００４８】
［変形例］
上記の実施例では、リアスピーカＲＬは前席に寄っており、かつ、前席の背もたれが前席の空間と後席の空間とを遮蔽する遮蔽物となっている。その代わりに、リアスピーカＲＬが後席に寄っており、かつ、後席に遮蔽物があるような車内環境においても本発明を適用することができる。図１１は、後席に遮蔽物を有する車内環境の例を示す。図１１の例では、リアスピーカＲＬは後席に寄っている。また、前席２ｆは車両の後方を向いており、後席２ｒと向かい合っている。そして、上記実施例における前席の背もたれの代わりに、前席２ｆと後席２ｒとの間に遮蔽物Ｘが存在している。遮蔽物Ｘの例としては仕切り、大画面テレビ、机などが挙げられる。この車内環境でも、リアスピーカＲＬから出力された音声は遮蔽物Ｘにより部分的に遮られ、後席へ伝わりにくくなる。このように、リアスピーカが前席と後席のどちらかの席に寄っており、かつ、寄っている方の席に遮蔽物があるような車内環境において本発明を適用することができる。【００４９】
上記の実施例では、イコライザ１２により共通ピーク帯域の信号を減衰させることとしているが、実際の処理としては、共通ピーク帯域の信号のみを減衰させて他の帯域の信号レベルを維持するような処理の他、共通ピーク帯域の信号レベルを維持しつつ、他の帯域の信号レベルを増強することにより相対的に共通ピーク帯域の信号を減衰させるような処理としてもよい。【００５０】
共通ピーク周波数を決定する際に制御部１５が取得する車幅、即ち、車両情報ＤＢに記憶しておく車幅は、車室の内装の幅を使用するのが最適である。しかし、内装の幅を取得することが難しい場合は、代わりに車両のカタログなどに記載されている外装の幅を使用してもよい。また、外装の幅から、一般的なドアの厚さに相当する値を減算した値を車両情報ＤＢに記憶しておいてもよい。【００５１】
上記の実施例では、車両情報ＤＢは車両に搭載された制御部１５内に用意されているが、その代わりに、車両情報ＤＢをサーバなどに用意し、車両に搭載された制御部１５が通信によりサーバから車幅を取得することとしてもよい。具体的には、制御部１５は、入力部１６に入力された車種名などの車両情報をサーバへ送信し、その車種の車幅をサーバから受信して使用すればよい。
【産業上の利用可能性】
【００５２】
本発明は、車両に搭載される音響再生装置に利用することができる。
【符号の説明】
【００５３】
１  車両
２ｆ  前席（運転席）
２ｒ  後席
１０  音量制御装置
１１  音源
１２  イコライザ
１５  制御部
１６  入力部
【図１】
2017104054.tif 000003
【図２】
2017104054.tif 000004
【図３】
2017104054.tif 000005
【図４】
2017104054.tif 000006
【図５】
2017104054.tif 000007
【図６】
2017104054.tif 000008
【図７】
2017104054.tif 000009
【図８】
2017104054.tif 000010
【図９】
2017104054.tif 000011
【図１０】
2017104054.tif 000012
【図１１】
2017104054.tif 000013
【国際調査報告】
2017104054.tif 000014
2017104054.tif 000015